(57)【要約】  【課題】作業時などに使用する手袋において、より着脱を容易ならしめる。  【解決手段】手袋１であれば、手のひら側１３に設けられた延出片２０が、手袋１内部へ手を収容する際のガイドとして機能するだけでなく、手の甲側１５に形成された切欠き３０により、手の甲側１５の開口端１１に手の挿入が妨げられるといったことも起こりにくいため、手袋１の装着をより容易に行うことができる。そして、この切欠き３０があることで、手において外周が大きい指の付根部分の移動に伴って切欠き３０が幅方向に拡がり、手袋本体１０の内周および開口２を拡張させて手と手袋１内部との摩擦を小さくすることができるため、手袋１の装着だけでなく、取外しについても容易に行うことができるものとなっている。【選択図】図１
2016069775.tif 000002
【特許請求の範囲】
【請求項１】
手における指先から手首に至る所定の領域までを開口から収容可能な手袋であって、
当該手袋本体は、指先側の先端部から開口側の端部（以降「開口端」という）までの長さとして、手における少なくとも指先から指の付根および該付根から手首に至るまでの所定の領域を収容可能な長さを有しており、
当該手袋本体における手のひら側には、前記開口端に該開口端から離れる方向へと延出する延出片が設けられており、当該手袋本体における手の甲側には、先端部側から前記開口端側に向けて幅方向に拡がる切欠きが形成されている
ことを特徴とする手袋。
【請求項２】
前記切欠きは、当該手袋における中指を開口端に向けて延長した延長線上にある所定の起点から、前記開口端側に向けて幅方向に拡がるように形成されている
ことを特徴とする請求項１に記載の手袋。
【発明の詳細な説明】
【技術分野】
【０００１】
本発明は作業用の手袋に関する。
【背景技術】
【０００２】
従来から、作業時などに使用する手袋においては、着脱を容易ならしめるべく、種々の工夫が提案されている。例えば、孔の形成されたつまみ部を裾部分に設けたものが提案されており（特許文献１参照）、これによれば、このつまみ部の孔に指を掛け、つまみ部ごと手袋を引っ張ることによって、素早く抜き取ることができる。
【先行技術文献】
【特許文献】
【０００３】
【特許文献１】特開平１１−１８９９０５号公報
【発明の概要】
【発明が解決しようとする課題】
【０００４】
しかし、上述した手袋では、手袋の裾部分につまみ部を設けただけであり、装着時、裾部分に手袋内部への手の挿入が妨げられやすく、装着後も、手と手袋内部との摩擦で取り外しにくい、といった課題を必ずしも解決できているとはいえない。
【０００５】
本発明は、このような課題を解決するためになされたものであり、その目的は、より手袋の着脱を容易ならしめるための技術を提供することである。
【課題を解決するための手段】
【０００６】
上記課題を解決するため第１の構成（請求項１）は、手における指先から手首に至る所定の領域までを開口から収容可能な手袋であって、当該手袋本体は、指先側の先端部から開口側の端部（以降「開口端」という）までの長さとして、手における少なくとも指先から指の付根および該付根から手首に至るまでの所定の領域を収容可能な長さを有しており、当該手袋本体における手のひら側には、前記開口端に該開口端から離れる方向へと延出する延出片が設けられており、当該手袋本体における手の甲側には、先端部側から前記開口端側に向けて幅方向に拡がる切欠きが形成されている。
【０００７】
このように構成された手袋であれば、手のひら側に設けられた延出片が、当該手袋内部へ手を収容する際のガイドとして機能するだけでなく、手の甲側に形成された切欠きにより、手の甲側の開口端に手の挿入が妨げられるといったことも起こりにくいため、手袋の装着をより容易に行うことができる。
【０００８】
そして、この切欠きがあることで、手において外周が大きい指の付根部分の移動に伴って手袋本体が幅方向に拡がり、その内周および開口を拡張させて手と手袋内部との摩擦を小さくすることができるため、手袋の装着だけでなく、取外しについても容易に行うことができるものとなっている。
【０００９】
ところで、当該手袋の取外しに際しては、最も長い中指に対応する部分が引っ張られることが多いと考えられる。この場合、中指を開口に向けて延長した延長線を中心として、手袋本体の内周および開口が拡張しようとすることが予想されるため、このような拡張を補助するような構成としておくことが、より手袋の容易な着脱を実現するうえでは有効といえる。
【００１０】
このためには、以下に示す第２の構成（請求項２）のようにすることが考えられる。
第２の構成において、前記切欠きは、当該手袋における中指を開口端に向けて延長した延長線上にある所定の起点から、前記開口端側に向けて幅方向に拡がるように形成されている。
【００１１】
このような構成であれば、手袋の取外しに際して中指に対応する部分が引っ張られ、中指を開口端に向けて延長した延長線を中心として、手袋本体の内周および開口が拡張しようとした場合に、この拡張が促進されるため、手と手袋内部との摩擦をより小さくすることができ、より手袋の容易な着脱を実現することができる。
【図面の簡単な説明】
【００１２】
【図１】手袋の構成を表裏それぞれから示す斜視図
【図２】手袋を装着した状態を示す図
【図３】手袋における切欠きの起点を説明するための斜視図
【図４】クリップにより手袋を取り外す様子を示す図
【発明を実施するための形態】
【００１３】
以下に本発明の実施形態を図面と共に説明する。
（１）構成
手袋１は、図１に示すように、手における指先から手首に至る所定の領域までを開口２から収容可能な樹脂材料からなる手袋である。
【００１４】
当該手袋本体１０は、指先側の先端部から開口２側の端部（以降「開口端」という）１１までの長さとして、手における少なくとも指先から指の付根および該付根から手首に至るまでの所定の領域を収容可能な長さ（本実施形態では手首まで収容可能な長さ；図２参照）を有している。
【００１５】
また、手袋本体１０における手のひら側１３には、開口端１１に該開口端１１から離れる方向へと延出する延出片２０が設けられている。この延出片２０は、開口端１１から離れるほど先細（本実施形態では三角形状）となるように形成されている。
【００１６】
また、手袋本体１０における手の甲側１５には、先端部側から開口端１１側に向けて幅方向に拡がる切欠き３０が形成されている。本実施形態において、この切欠き３０は、図３に示すように、手袋１における中指を開口端に向けて延長した延長線上にある所定の起点３１から、開口端１１側に向けて幅方向に拡がるように形成されている。
【００１７】
このような手袋１では、手において外周が大きい指の付根部分の移動に伴って切欠き３０が幅方向に拡がることにより、手袋１本体の内周および開口２を拡張させて手と手袋１内部との摩擦を小さくし、取外しを容易ならしめている。
（２）作用効果
このように構成された手袋１であれば、手のひら側１３に設けられた延出片２０が、手袋１内部へ手を収容する際のガイドとして機能するだけでなく、手の甲側１５に形成された切欠き３０により、手の甲側１５の開口端１１に手の挿入が妨げられるといったことも起こりにくいため、手袋１の装着をより容易に行うことができる。
【００１８】
そして、この切欠き３０があることで、手において外周が大きい指の付根部分の移動に伴って切欠き３０が幅方向に拡がり、手袋本体１０の内周および開口２を拡張させて手と手袋１内部との摩擦を小さくすることができるため、手袋１の装着だけでなく、取外しについても容易に行うことができるものとなっている。
【００１９】
また、切欠き３０が、中指に対応する部分を開口に向けて延長した延長線上にある所定の起点３１から開口端１１側に向けて幅方向に拡がるように形成されているため、手袋１の取外しに際して中指部分が引っ張られ、中指を開口２に向けて延長した延長線を中心として、手袋１本体の内周および開口２が拡張しようとした場合に、この拡張が促進されるため、手と手袋１内部との摩擦をより小さくすることができ、より手袋１の容易な着脱を実現することができる。
【００２０】
このように取り外しが容易であるがゆえに、例えば、図４に示すように、クリップ１００などで中指に対応する部分をつまんで引っ張ることによって手袋１の取外しを実現することが考えられる。この場合、手袋１に直接手が触れることがなく、手袋１の汚れが手に付着してしまうことを防止できるため、より作業時などに使用する手袋としての利便性が高くなる。
（３）変形例
以上、本発明の実施の形態について説明したが、本発明は、上記実施形態に何ら限定されることはなく、本発明の技術的範囲に属する限り種々の形態をとり得ることはいうまでもない。
【００２１】
例えば、上記実施形態においては、切欠き３０が、所定の起点３１から開口端１１側に向けて幅方向に拡がるように形成されている構成を例示した。しかし、この切欠き３０は、手袋の取外しに際して手袋本体１０が引っ張られたときに、手袋１本体の内周および開口２の拡張を促進できるような構造ればよく、その具体的な形状や起点３１の位置などについては上記構成に限定されない。
【００２２】
また、上記実施形態においては、延出片２０が三角形状となっている構成を例示した。しかし、この延出片２０は、手袋１内部へ手を収容する際のガイドとして機能すればよく、開口端１１から離れるほど先細となる他の形状を採用できることはいうまでもない。
【符号の説明】
【００２３】
１…手袋、２…開口、１０…手袋本体、１１…開口端、１３…側、１５…甲側、２０…延出片、３０…切欠き、３１…起点、１００…クリップ。
【図１】
2016069775.tif 000003
【図２】
2016069775.tif 000004
【図３】
2016069775.tif 000005
【図４】
2016069775.tif 000006